(57)【要約】【課題】  美粧性及び折り畳み性の両立を図ることができ、しかも、使用材料を削減して環境負荷及びコストをより低減できる陳列台を提供する。【解決手段】  陳列台１０は、背板２０と、背板２０に直径部分４１ａが折り曲げ可能に接合される台板４０と、台板４０の下方で設けられ背板２０に直径部分５１ａが折り曲げ可能に接合される下板５０と、台板４０及び下板５０のそれぞれの円弧部分４１ｂ，５１ｂに沿って略半円筒状に組み立てられ扁平状に折り畳み可能な正面板７０と、を備え、台板４０及び下板５が、背板２０の前面に沿う折り畳み位置からそれぞれの直径部分４１ａ，５１ａを基点に前下方に回動しながら、それぞれの円弧部分４１ｂ，５１ｂを正面板７０の内側に押し込んで正面板７０を前側に膨らませていくことにより、正面板７０を扁平状から略半円筒状に徐々に変形させる。【選択図】  図１
2015128519.tif 000002
【特許請求の範囲】
【請求項１】
商品を陳列する使用形態から、扁平状に折り畳まれた折り畳み形態に変形可能な陳列台であって、
背板と、
前記商品が載置される略半円形状の棚であって、前記背板の前面に直径部分が折り曲げ可能に接合されるとともに前記折り畳み形態において円弧部分が上方を向くように前記背板の前面に沿って折り畳み可能な台板と、
前記台板の下方で前記台板と連動する略半円形状の部材であって、前記背板の前面に直径部分が折り曲げ可能に接合されるとともに前記折り畳み形態において円弧部分が上方を向くように前記背板の前面に沿って折り畳み可能な下板と、
前記台板及び前記下板のそれぞれの円弧部分に沿って略半円筒状に形成され、前記折り畳み形態において前記台板の裏面及び前記下板の裏面に重なるように扁平状に折り畳み可能な正面板と、を備え、
前記台板及び前記下板が、前記背板の前面に沿う折り畳み位置からそれぞれの直径部分を基点に前下方に回動しながら、それぞれの円弧部分を前記正面板の内側に押し込んで前記正面板を前側に膨らませていくことにより、前記正面板を扁平状から略半円筒状に徐々に変形させることを特徴とする陳列台。
【請求項２】
前記背板が、左右方向に沿って形成され前記背板の後面を内向きにして前記背板を２つ折りにする折り曲げ部を有し、
前記正面板が、前記折り曲げ部よりも下側で前記背板に接合され前記台板及び前記下板を覆う正面板下部と、前記折り曲げ部よりも上方で前記背板に接合され前記正面板下部に上方から合わさる正面板上部と、に分割されることを特徴とする請求項１に記載の陳列台。
【請求項３】
前記台板が、前記背板の前面に接合される接合片を有し、
この接合片が、前記台板の直径部分に沿って長い略長方形状に形成されることを特徴とする請求項１又は２に記載の陳列台。
【請求項４】
前記下板が、前記背板の前面に接合される接合片を有し、
この接合片が、前記下板の直径部分に沿って長い略長方形状に形成されることを特徴とする請求項１ないし３のいずれか１項に記載の陳列台。
【発明の詳細な説明】
【技術分野】
【０００１】
本発明は、陳列台に関する。
【背景技術】
【０００２】
従来、商品を陳列する陳列台に関し、各種の技術が提案されている（例えば、特許文献１参照）。
【０００３】
特許文献１の陳列台は、特許文献１の第５図に示されるように、背板と、この背板の左右両側の端部に連なる半筒体と、この半筒体の内面に折り曲げ可能に接合される上横板及び下横板と、これら上横板及び下横板を上下に連結する補強板とを備える。
【０００４】
上横板及び下横板のそれぞれの背板側の直径部分は、背板に沿う縦板に折り曲げ可能に接合される。また、上横板及び下横板のそれぞれの円弧部分の前端部は、正面板の内面に接合される。
【０００５】
この陳列台では、陳列台を折り畳む際、背板に対して縦板を下方にスライドさせることにより、円弧部分の前端部を基点に直径部分を下方に移動させる。これにより、上横板及び下横板を背板に沿わせるように折り畳み、更に、半筒体の左右の側部を折り曲げることによって半筒体についても扁平状に折り畳む。一方、陳列台を組み立てる際は、背板に対して縦板を上方にスライドさせることにより、円弧部分の前端部を基点に直径部分を上方に移動させる。これにより、扁平状に折り畳まれた半筒体を円弧部分に沿って略半円筒状に組み立てる。
【０００６】
このように、特許文献１に開示される技術では、美粧性を高めるうえで有効とされる湾曲した正面部分（半筒体）を採用するとともに陳列台を扁平状に折り畳み可能としている。これにより、美粧性と折り畳み性の両立を図っている。
【０００７】
ところで、近年、陳列台には、美粧性や折り畳み性に加え、環境負荷及びコストをより低減できる技術が要望されている。例えば、特許文献１の陳列台において、商品を載置する棚構造の構成部品のうち面積が比較的広い縦板を無くすことができれば、使用材料を削減することができる。しかし、この縦板は、上横板及び下横板の可動側である直径部分を円滑に動作させるうえで必要なスライド部分（連結部分）であり、単に無くすことは困難である。したがって、このような縦板が無くても円滑に動作でき、使用材料の削減が図れる陳列台が求められている。
【先行技術文献】
【特許文献】
【０００８】
【特許文献１】実開平３−１１８５９
【発明の概要】
【発明が解決しようとする課題】
【０００９】
本発明は、このような事情に鑑みてなされたものであり、その目的は、美粧性及び折り畳み性の両立を図ることができ、しかも、使用材料を削減して環境負荷及びコストをより低減できる陳列台を提供することにある。
【課題を解決するための手段】
【００１０】
本発明は、以下の構成によって把握される。
（１）本発明は、商品を陳列する使用形態から、扁平状に折り畳まれた折り畳み形態に変形可能な陳列台であって、背板と、商品が載置される略半円形状の棚であって、背板の前面に直径部分が折り曲げ可能に接合されるとともに折り畳み形態において円弧部分が上方を向くように背板の前面に沿って折り畳み可能な台板と、台板の下方で台板と連動する略半円形状の部材であって、背板の前面に直径部分が折り曲げ可能に接合されるとともに折り畳み形態において円弧部分が上方を向くように背板の前面に沿って折り畳み可能な下板と、台板及び下板のそれぞれの円弧部分に沿って略半円筒状に形成され、折り畳み形態において台板の裏面及び下板の裏面に重なるように扁平状に折り畳み可能な正面板と、を備え、台板及び下板が、背板の前面に沿う折り畳み位置からそれぞれの直径部分を基点に前下方に回動しながら、それぞれの円弧部分を正面板の内側に押し込んで正面板を前側に膨らませていくことにより、正面板を扁平状から略半円筒状に徐々に変形させることを特徴とする。
【００１１】
（２）本発明は、上記（１）の構成において、背板が、左右方向に沿って形成され背板の後面を内向きにして背板を２つ折りにする折り曲げ部を有し、正面板が、折り曲げ部よりも下側で背板に接合され台板及び下板を覆う正面板下部と、折り曲げ部よりも上方で背板に接合され正面板下部に上方から合わさる正面板上部と、に分割されることを特徴とする。
【００１２】
（３）本発明は、上記（１）又は（２）の構成において、台板が、背板の前面に接合される接合片を有し、この接合片が、台板の直径部分に沿って長い略長方形状に形成されることを特徴とする。
【００１３】
（４）本発明は、上記（１）ないし（３）のいずれかの構成において、下板が、背板の前面に接合される接合片を有し、この接合片が、下板の直径部分に沿って長い略長方形状に形成されることを特徴とする。
【発明の効果】
【００１４】
本発明によれば、美粧性及び折り畳み性の両立を図ることができ、しかも、使用材料を削減して環境負荷及びコストをより低減できる陳列台が提供される。
【図面の簡単な説明】
【００１５】
【図１】本発明に係る実施形態の使用形態における陳列台の斜視図である。
【図２】図１に示される陳列台の折り畳み形態における正面図である。
【図３】図１から棚構造を抜き出して示す棚構造の斜視図である。
【図４】図１のＡ−Ａ線断面図である。
【図５】陳列台を使用形態に変形する過程を示す図であり、（ａ）は折り畳み形態の陳列台の正面図、（ｂ）は台板を下方に倒している状態の陳列台を斜め上方から見た斜視図である。
【図６】陳列台を使用形態に変形する過程を示す図であり、（ａ）は正面板下部を上方に起こしている状態の陳列台を斜め上方から見た斜視図、（ｂ）は正面板上部を正面板下部に被せている状態の陳列台を斜め上方から見た斜視図である。
【図７】（ａ）は実施形態の棚構造の作用説明図、（ｂ）は比較例の棚構造の作用説明図である。
【図８】２つ折りにされる陳列台の作用説明図である。
【発明を実施するための形態】
【００１６】
以下、添付図面を参照して、本発明を実施するための形態（以下、「実施形態」と称する）について詳細に説明する。実施形態の説明の全体を通して同じ要素には同じ番号を付している。また、実施形態において、「前」、「後」は、各々、陳列台に正対したときの「手前」側、「奥」側を示す。
【００１７】
（陳列台１０の全体構成）
まず、陳列台１０の全体構成を図１及び図２に基づいて説明する。
実施形態の陳列台１０は、商品１１を陳列する使用形態（図１参照）から、扁平状に折り畳まれて運搬・保管する折り畳み形態（図２参照）に変形可能に構成される。ここで、商品１１としては、例えば、個装された清掃用品具などの日用雑貨が挙げられるが、商品１１の種類は任意である。
【００１８】
図１に示すように、陳列台１０は、商品１１の後側に設けられる背板２０と、この背板２０の前面に折り畳み可能に設けられる棚構造３０と、この棚構造３０及び商品１１の前側に設けられる正面板７０とを備える。なお、背板２０、棚構造３０及び正面板７０を構成する材料は、段ボール、厚紙など各種の紙材料から選択可能であり、種類は任意である。
【００１９】
（背板２０の構成）
次に、背板２０の構成を図１に基づいて説明する。
図１に示すように、背板２０は、略四角形状（この例では、略長方形状）に形成される部材である。背板２０は、左右方向に沿って形成される後側折り曲げ部２１と、この後側折り曲げ部２１よりも下側の背板下部２０Ｄと、後側折り曲げ部２１よりも上側の背板上部２０Ｕとを有する。
【００２０】
後側折り曲げ部２１は、背板２０の後面を内向きにして背板２０を２つ折りにする機能を有する。この例では、背板２０の後面の高さ方向略中央に後側折り曲げ部２１を設定する。これにより、背板２０を後側折り曲げ部２１で折り曲げて、背板上部２０Ｕを背板下部２０Ｄに重ね合わせることができ、使用形態における高さの半分程度の高さに背板２０を折り畳むことができる。なお、後側折り曲げ部２１の構成は任意であるが、例えば、段ボール製の背板２０の表ライナーをヒンジとして機能させたものや、背板２０に形成した罫線などでよって後側折り曲げ部２１を構成することができる。
【００２１】
背板下部２０Ｄの左右の端部には、左右の下側接合部２２Ｄが折り曲げ可能に設けられており、背板上部２０Ｕの左右の端部には、左右の上側接合部２２Ｕが折り曲げ可能に設けられる。これら下側接合部２２Ｄ及び上側接合部２２Ｕは、背板２０に対して前側に略直角に折れ曲がるように形成される一方、折り畳み形態（図２参照）では、背板２０に沿って展開可能である。
【００２２】
（棚構造３０の構成）
続いて、棚構造３０の構成を図３に基づいて説明する。
図３に示すように、棚構造３０は、台板４０、下板５０及び補強板６０によって構成される。
【００２３】
台板４０は、商品１１（図１参照）が載置される略半円形状の半円部４１と、この半円部４１の直径部分４１ａに折り曲げ可能に連なる折り曲げ片４２とを有する。半円部４１は、折り畳み形態（図２参照）において、その円弧部分４１ｂが上方を向くように背板下部２０Ｄ（図１参照）の前面に沿って折り畳み可能である。
【００２４】
折り曲げ片４２は、接合片４２ａと、この接合片４２ａの左右の端部に連なる支持片４２ｂとからなる。接合片４２ａは、直径部分４１ａに沿って長い略長方形状に形成され、背板下部２０Ｄ（図１参照）の前面上部に接着剤によって接合される。支持片４２ｂは、接合片４２ａに対して前側に傾斜するように折り曲げられ、使用形態（図１参照）において半円部４１を支持する機能を有する。
【００２５】
下板５０は、台板４０の下方で台板４０と連動する略半円形状の半円部５１を備える。また、下板５０は、この半円部５１の直径部分５１ａに折り曲げ可能に連なる折り曲げ片５２と、半円部５１の前部に設けられる左右の連結片５３と、これら左右の連結片５３の間から前方に突出する突出片５５とを有する。半円部５１は、折り畳み形態（図２参照）において、その円弧部分５１ｂが上方を向くように背板下部２０Ｄ（図１参照）の前面に沿って折り畳み可能である。
【００２６】
折り曲げ片５２は、接合片５２ａと、この接合片５２ａの左右の端部に連なる支持片５２ｂとからなる。折り曲げ片５２は、設置面に接地可能であり、棚構造３０の後側の脚部として機能する。接合片５２ａは、直径部分５１ａに沿って長い略長方形状に形成され、背板下部２０Ｄ（図１参照）の前面下部に接着剤によって接合される。支持片５２ｂは、接合片５２ａに対して前側に傾斜するように折り曲げられ、使用形態（図１参照）において半円部５１を支持する機能を有する。
【００２７】
左右の連結片５３は、半円部５１の前側の左右両端を上方に折り曲げた部分である。また、突出片５５は、円弧状の前端部５５ａを有し、この前端部５５ａは、前後方向において台板４０の円弧部分４１ｂの前端部４１ｃと略同じ位置に形成される。これら連結片５３及び突出片５５は、折り畳み形態（図２参照）において、背板下部２０Ｄ（図１参照）の前面に重なるように折り畳み可能である。
【００２８】
補強板６０は、略四角形状（この例では、略長方形状）の補強板本体６１と、この補強板本体６１の左右の端部に折り曲げ可能に連なる左右の支持部６２と、補強板本体６１において突出片５５に対応する位置に設けられる切起し片６３とを有する。また、補強板６０は、補強板本体６１の上端に折り曲げ可能に連なるとともに台板４０の半円部４１の前部に重なる略円弧状の連結片６５を有する。
【００２９】
補強板本体６１は、上端の連結片６５が半円部４１の前部裏面に接着剤で接合されるとともに、下部が左右の連結片５３に接着剤で接合されることにより、台板４０と下板５０とを上下に連結する。
【００３０】
支持部６２は、補強板本体６１に対して後側に傾斜するように折り曲げられ、使用形態（図１参照）において、設置面に対して台板４０を支持する機能を有する。なお、支持部６２は、陳列台１０を折り畳み形態（図２参照）から使用形態（図１参照）に変形する過程において、下板５０の前端部５５ａとともに正面板下部７０Ｄ（図１参照）を前側に湾曲させる機能も有する。
【００３１】
このように構成される補強板本体６１及び支持部６２を採用することにより、棚構造３０では、陳列する商品１１（図１参照）の総重量が大きい場合であっても、台板４０に加わる荷重をしっかりと支えることが可能である。
【００３２】
切起し片６３は、補強板本体６１から切起されることで切起し穴６６を形成する。この切起し穴６６には、下板５０の突出片５５が挿入可能であり、挿入された突出片５５は、切起し片６３に重なる。これら切起し片６３及び突出片５５は、折り畳み形態（図２参照）において、切起し穴６６に合わさるようにして折り畳み可能である。
【００３３】
（正面板７０の構成）
次に、正面板７０の構成を図４に基づいて説明する。
図４に示すように、正面板７０は、後側折り曲げ部２１を挟んで上下２つに分割される正面板下部７０Ｄ及び正面板上部７０Ｕを備える。
【００３４】
正面板下部７０Ｄは、その左右の端部が背板下部２０Ｄの左右の下側接合部２２Ｄに接着剤で接合され、棚構造３０を前側から覆う。正面板下部７０Ｄは、台板４０及び下板５０のそれぞれの円弧部分４１ｂ，５１ｂ（図３参照）に沿って略半円筒状に組み立てられる。
【００３５】
また、正面板下部７０Ｄは、左右の端部それぞれの近傍に上下方向に延びる下側折り曲げ部７１Ｄを有する。正面板下部７０Ｄは、この下側折り曲げ部７１Ｄを基点に折り曲げることで、折り畳み形態（図２参照）において、台板４０の裏面及び下板５０の裏面に重なるように扁平状に折り畳み可能である。
【００３６】
一方、正面板上部７０Ｕは、その左右の端部が背板上部２０Ｕの左右の上側接合部２２Ｕに接着剤で接合され、台板４０に載置された商品１１（図１参照）を前側から覆う。正面板上部７０Ｕには、商品１１（図１参照）を前側及び左右両側から視認可能な窓７２が左右一側から他側にかけて設けられる。このように構成される正面板上部７０Ｕは、正面板下部７０Ｄに上方から嵌合されることにより、略半円筒状に組み立てられる。また、正面板上部７０Ｕを組み立てる際、正面板下部７０Ｄの上端部に設けた係合穴７３と、正面板上部７０Ｕの下端部に設けた係合部７５とを係合することにより、正面板上部７０Ｕを正面板下部７０Ｄに係合させることができる。
【００３７】
また、正面板上部７０Ｕは、左右の端部それぞれの近傍に上下方向に延びる上側折り曲げ部７１Ｕを有する。正面板上部７０Ｕは、この上側折り曲げ部７１Ｕを基点に折り曲げることで、折り畳み形態（図２参照）において、背板上部２０Ｕの前面に重なるように扁平状に折り畳み可能である。
【００３８】
（陳列台１０の変形方法）
以上のように構成される陳列台１０の変形方法を図５、図６に基づいて説明する。
【００３９】
陳列台１０を折り畳み形態（図２参照）から使用形態（図１参照）に変形する際は、まず、図５（ａ）に示すように、２つ折りにされた陳列台１０において、背板２０の前面に沿う折り畳み位置から台板４０を前側に倒す（矢印（１））。すると、図５（ｂ）に示すように、台板４０の動作に下板５０が連動し、この下板５０の前端部５５ａ及び左右の支持部６２によって、扁平状の正面板下部７０Ｄが前側に膨らむように湾曲する（矢印（２））。更に、台板４０及び下板５０が、それぞれの直径部分４１ａ，５１ａを基点に前下方に回動すると、それぞれの円弧部分４１ｂ，５１ｂが正面板７０の内面を摺動しながら正面板下部７０Ｄの内側に押し込まれていく。これにより、正面板下部７０Ｄが、円弧部分４１ｂ，５１ｂによって更に前側に大きく膨らんで湾曲していき、正面板下部７０Ｄが扁平状から略半円筒状に徐々に変形する。
【００４０】
次に、図６（ａ）に示すように、後側折り曲げ部２１を基点にして、背板上部２０Ｕ及び正面板上部７０Ｕを背板下部２０Ｄの後側から上方に起こす（矢印（３））。そして、図６（ｂ）に示すように、正面板上部７０Ｕを背板上部２０Ｕから離間する方向に湾曲させる（矢印（４））。更に、湾曲させた正面板上部７０Ｕの下端部を正面板下部７０Ｄの上端部に被せて嵌合させるとともに係合部７５を係合穴７３に係合する（矢印（５））。その結果、正面板上部７０Ｕが正面板下部７０Ｄに組み付けられた略半円筒状の陳列台１０（図１参照）が得られる。
【００４１】
一方、陳列台１０を使用形態（図１参照）から折り畳み形態（図２参照）に変形する際は、台板４０及び下板５０を背板２０の前面に沿うように上方に折り畳む。すると、正面板下部７０Ｄが台板４０及び下板５０から解放され、台板４０の裏面及び下板５０の裏面に沿って扁平状に折り畳まれる。同時に、正面板下部７０Ｄから解放された正面板上部７０Ｕも、背板上部２０Ｕに沿って扁平状に折り畳まれる。そして、背板２０の後面を内向きにして、後側折り曲げ部２１を基点に背板２０を２つ折りにする。これにより、扁平状に折り畳まれ、かつ、２つ折りにされた陳列台１０（図２参照）が得られる。
【００４２】
（実施形態の効果）
以上、説明した陳列台１０の効果について述べる。
陳列台１０によれば、美粧性を高めるうえで有効とされる湾曲した正面部分（正面板７０）及び棚構造３０を折り畳み可能とすることで、美粧性及び折り畳み性の両立を図ることができる。また、商品１１が載置される台板４０を前側に倒すだけで容易に組み立てることができ、組み立て方が見て簡単に分かるため、いわゆるユニバーサルデザインを備える陳列台１０を提供することができる。
【００４３】
そして、本実施形態では、図７（ａ）に示すように、台板４０及び下板５０において、直径部分４１ａ，５１ａを固定側とし、円弧側の前端部４１ｃ，５５ａを可動側として設定した。これにより、陳列台１０を折り畳み形態から使用形態に変形する際、円弧部分４１ｂ，５１ｂ（図５（ｂ）参照）及び前端部４１ｃ，５５ａを正面板下部７０Ｄの内面で摺動させることにより扁平状の正面板下部７０Ｄを略半円筒状に組み立てる。この際、円弧部分４１ｂ，５１ｂ（図５（ｂ）参照）及び前端部４１ｃ，５５ａは、正面板下部７０Ｄの内面との接触面積が緩やかに増していくため、正面板下部７０Ｄの内面を円滑に摺動する。したがって、台板４０及び下板５０の可動側の動作を円滑にするために前端部４１ｃ，５５ａ同士を連結するスライド部分が不要である。
【００４４】
これに対し、円弧側の前端部を固定側として、直径部分を可動側とした場合（例えば、特許文献１に記載される陳列台）について考える。
【００４５】
図７（ｂ）は、比較例の陳列台１００の説明図である。
図７（ｂ）に示すように、陳列台１００では、台板１０１及び下板１０２を補強板１０３で連結し、台板１０１及び下板１０２のそれぞれの半円部１０１ａ，１０２ａの前端部１０１ｂ，１０２ｂを正面板下部１０５の内面に接合して固定側に設定する。一方、台板１０１及び下板１０２のそれぞれの直径部分１０１ｃ，１０２ｃを可動側に設定する。
【００４６】
このように構成される陳列台１００において、陳列台１００を折り畳み形態から使用形態に変形する場合、幅の広い直径部分１０１ｃ，１０２ｃを常時、背板下部１０６の前面に対して摺動させる必要があるため、動作抵抗が大きい。特に、直径部分１０１ｃ，１０２ｃを背板下部１０６の下方から上向きに動作させて組み立てる場合は、下板１０２の直径部分１０２ｃが背板下部１０６の下端１０６ａに引っ掛かり易い。このように大きな動作抵抗や直径部分１０２ｃの引っ掛かりによる不具合を解消するため、陳列台１００では、直径部分１０１ｃ，１０２ｃ同士を連結するスライド部分１０７（例えば、特許文献１に記載される縦板）を設ける必要がある。すなわち、このスライド部分１０７によって、可動側である直径部分１０１ｃ，１０２ｃの動作を円滑にする必要がある。このため、スライド部分１０７を設ける分、部品点数及び使用材料が多くなってしまう。
【００４７】
この点、本実施形態によれば、図７（ａ）に示すように、可動側である円弧側の前端部４１ｃ，５５ａの動作を円滑にするためのスライド部分（連結部分）が不要である。したがって、スライド部分（連結部分）を削減することができ、使用材料を削減して環境負荷及びコストをより低減することができる。
【００４８】
また、台板４０及び下板５０において直径部分４１ａ，５１ａを固定側に設定することにより、直径部分４１ａ，５１ａに沿って長い接合片４２ａ，５２ａを背板２０の前面に接合できる。これにより、陳列台１００（図７（ｂ）参照）のように幅の狭い前端部１０１ｂ，１０２ｂで接合する固定構造に比べ、格段に広い接着面積で台板４０及び下板５０が接合された固定構造を得ることができる。
【００４９】
更に、図８に示すように、後側折り曲げ部２１によって背板２０を２つ折りにすることによって、よりコンパクトに陳列台１０を折り畳むことができる。この例では、２つ折りの陳列台１０の高さＨ１を、２つ折りにされる前の陳列台１０Ａの高さＨ２に比べ、陳列台１０Ａの上端から台板４０の前端部４１ｃまでの距離Ｌだけ縮小することができる。
【００５０】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００５１】
１０    陳列台
１１    商品
２０    背板
２１    後側折り曲げ部
４０    台板
４１ａ  直径部分
４１ｂ  円弧部分
４２ａ  接合片
５０    下板
５１ａ  直径部分
５１ｂ  円弧部分
５２ａ  接合片
７０    正面板
７０Ｄ  正面板下部
７０Ｕ  正面板上部
【図１】
2015128519.tif 000003
【図２】
2015128519.tif 000004
【図３】
2015128519.tif 000005
【図４】
2015128519.tif 000006
【図５】
2015128519.tif 000007
【図６】
2015128519.tif 000008
【図７】
2015128519.tif 000009
【図８】
2015128519.tif 000010